(57)【要約】【課題】包装材の開口される部分にずれた状態で貼付されても包装材の開口される部分とともに容易に引き裂くことができる、引き裂きラベルを提供する。【解決手段】引き裂きラベル１０は、矩形状のラベル基材１２を含む。ラベル基材１２の幅方向における中央には、その一端から他端にわたって、ミシン目１４が形成される。ラベル基材１２の一端においてミシン目１４の一端部には、３角形状の切欠部１６が形成される。ラベル基材１２の裏面には、その幅方向における中央部分を除いた両側の外側部分に、感圧接着剤層１８が形成される。【選択図】　　　図１
2004077829.tif 000002
【特許請求の範囲】
【請求項１】
ラベル基材、
前記ラベル基材の一端から他端にわたって形成され、前記ラベル基材を引き裂きやすくするための引き裂き線、および
前記ラベル基材の裏面に形成され、前記ラベル基材を接着するための接着剤層を含み、
前記ラベル基材の裏面において、幅方向における中間部分が前記接着剤層で接着されないように形成され、前記中間部分の幅方向における両側の外側部分が前記接着剤層で接着されるように形成され、
前記引き裂き線は、前記中間部分の幅方向における中間に対応する部分に形成される、引き裂きラベル。
【請求項２】
前記接着剤層は、前記ラベル基材の裏面において前記中間部分を除いた前記両側の外側部分に形成される、請求項１に記載の引き裂きラベル。
【請求項３】
前記接着剤層は前記ラベル基材の裏面全面に形成され、
前記接着剤層の表面において前記中間部分に対応する部分に前記接着剤層の接着力を阻止するための接着阻止層が形成される、請求項１に記載の引き裂きラベル。
【請求項４】
ラベル基材、
前記ラベル基材の一端から他端にわたってかつ互いに間隔を隔てて略平行に形成され、前記ラベル基材を引き裂きやすくするための複数の引き裂き線、および前記ラベル基材の裏面に形成され、前記ラベル基材を接着するための接着剤層を含む、引き裂きラベル。
【請求項５】
前記複数の引き裂き線とともに格子状の引き裂き線となる別の引き裂き線が前記ラベル基材に形成される、請求項４に記載の引き裂きラベル。
【請求項６】
前記ラベル基材において前記引き裂き線の端部にその引き裂き線に応力を集中させるための切欠部が形成される、請求項１ないし請求項５のいずれかに記載の引き裂きラベル。
【請求項７】
前記切欠部は前記ラベル基材の一端および他端にそれぞれ形成される、請求項６に記載の引き裂きラベル。
【請求項８】
前記ラベル基材の表面に表示部が形成される、請求項１ないし請求項７のいずれかに記載の引き裂きラベル。
【発明の詳細な説明】
【０００１】
【発明の属する技術分野】
この発明は引き裂きラベルに関し、特に、たとえばおにぎりなどを包装して包装体とする包装材に貼付され、包装材とともに引き裂かれる、引き裂きラベルに関する。
【０００２】
【従来の技術】
この発明の背景となる包装材としてたとえばおにぎりなどを包装して包装体とする包装材には、切り目や開口用テープが形成され、切り目や開口用テープで引き裂いて開口するものがあった。
このような包装材の切り目や開口用テープ上にラベルが貼付されると、包装材が切り目で開口されずに破れてしまったり、あるいは、開口用テープが切れてしまったりして、目的とする開口が行えないことがある。
そこで、従来、包装材の開口される部分に貼付された場合に包装材の開口される部分とともに引き裂きやすい引き裂きラベルが考え出された。
図１５（Ａ）は従来の引き裂きラベルの一例を示す正面図であり、図１５（Ｂ）はその引き裂きラベルの背面図である。図１５に示す引き裂きラベル１は、矩形のラベル基材２を含む。ラベル基材２の幅方向における中央には、ラベル基材２を引き裂きやすくするためのミシン目３が形成される。ラベル基材２の裏面全面には、ラベル基材２を貼付するための感圧接着剤層４が形成される。なお、ラベル基材２の表面には、たとえば、この引き裂きラベル１が貼付される商品の名称をインキで印刷することによって、表示部５が形成されている。
図１５に示す引き裂きラベル１は、たとえば、図１６に示すように、おにぎりを包装して包装体Ｂとする包装材Ｗの表面に貼付される。この場合、引き裂きラベル１は、ミシン目３が包装材Ｗの切り目Ｃに重なる状態で包装材Ｗに貼付される。
そのため、図１７に示すように、包装材Ｗを切り目Ｃで引き裂くと、引き裂きラベル１は、包装材Ｗとともにミシン目３で容易に引き裂かれる。
同様に、図１５に示す引き裂きラベル１は、開口用テープを形成した包装材に貼付される場合、ミシン目３が開口用テープに重なる状態で包装材に貼付されると、開口用テープおよびミシン目３によって包装材とともに容易に引き裂かれる。
【０００３】
【発明が解決しようとする課題】
ところが、図１５に示す引き裂きラベル１では、図１８に示すように、それをミシン目３が包装材Ｗの切り目Ｃからずれた状態で包装材Ｗに貼付すると、包装材Ｗを切り目Ｃで引き裂こうとしても、図１９に示すように、引き裂きラベル１をミシン目３で引き裂くことができなくなるため、包装材Ｗを完全に引き裂いて開口することができない。
同様に、図１５に示す引き裂きラベル１では、それをミシン目３が包装材の開口用テープからずれた状態で包装材に貼付しても、引き裂きラベル１をミシン目３で引き裂くことができなくなるため、包装材を完全に引き裂いて開口することができない。
【０００４】
それゆえに、この発明の主たる目的は、包装材の開口される部分にずれた状態で貼付されても包装材の開口される部分とともに容易に引き裂くことができる、引き裂きラベルを提供することである。
【０００５】
【課題を解決するための手段】
この発明にかかる引き裂きラベルは、ラベル基材と、ラベル基材の一端から他端にわたって形成され、ラベル基材を引き裂きやすくするための引き裂き線と、ラベル基材の裏面に形成され、ラベル基材を接着するための接着剤層とを含み、ラベル基材の裏面において、幅方向における中間部分が接着剤層で接着されないように形成され、中間部分の幅方向における両側の外側部分が接着剤層で接着されるように形成され、引き裂き線は、その中間部分の幅方向における中間に対応する部分に形成される、引き裂きラベルである。
この発明にかかる引き裂きラベルでは、接着剤層は、ラベル基材の裏面において中間部分を除いた両側の外側部分に形成されてもよい。
また、この発明にかかる引き裂きラベルでは、接着剤層はラベル基材の裏面全面に形成され、接着剤層の表面において中間部分に対応する部分に接着剤層の接着力を阻止するための接着阻止層が形成されてもよい。
この発明にかかる引き裂きラベルでは、ラベル基材の裏面において、幅方向における中間部分が接着剤層で接着されないように形成され、中間部分の幅方向における両側の外側部分が接着剤層で接着されるように形成される。また、この発明にかかる引き裂きラベルでは、その中間部分の幅方向における中間に対応する部分に引き裂き線が形成される。
そのため、この発明にかかる引き裂きラベルは、包装材の開口される部分にずれた状態で貼付されても、包装材の開口される部分から引き裂き線までの部分が接着剤層で接着されず、包装材の開口される部分とともに引き裂き線で容易に引き裂くことができる。
【０００６】
また、この発明にかかる別の引き裂きラベルは、ラベル基材と、ラベル基材の一端から他端にわたってかつ互いに間隔を隔てて略平行に形成され、ラベル基材を引き裂きやすくするための複数の引き裂き線と、ラベル基材の裏面に形成され、ラベル基材を接着するための接着剤層とを含む、引き裂きラベルである。ここでいう略平行には、平行も含まれる。
この発明にかかる別の引き裂きラベルは、包装材の開口される部分にずれた状態で貼付されても、複数の引き裂き線のうちのいずれかの引き裂き線が包装材の開口される部分に接近するので、包装材の開口される部分とともにその引き裂き線で容易に引き裂くことができる。
【０００７】
この発明にかかる別の引き裂きラベルには、複数の引き裂き線とともに格子状の引き裂き線となる別の引き裂き線がラベル基材に形成されてもよい。このように別の引き裂き線が形成されると、この発明にかかる別の引き裂きラベルは、包装材の開口される部分に斜めにずれた状態で貼付されても、格子状の引き裂き線のうちのいずれかの引き裂き線が包装材の開口される部分に接近するので、包装材の開口される部分とともにその引き裂き線で容易に引き裂くことができる。
【０００８】
この発明にかかる引き裂きラベルおよび別の引き裂きラベルには、ラベル基材において引き裂き線の端部にその引き裂き線に応力を集中させるための切欠部が形成されてもよい。このように切欠部が形成されると、応力が引き裂き線に集中しやすくなるので、引き裂きラベルがさらに引き裂きやすくなる。
【０００９】
また、この発明にかかる引き裂きラベルおよび別の引き裂きラベルでは、切欠部はラベル基材の一端および他端にそれぞれ形成されてもよい。このように切欠部が形成されると、引き裂きラベルがラベル基材の一端側および他端側の両側からさらに引き裂きやすくなる。
【００１０】
さらに、この発明にかかる引き裂きラベルおよび別の引き裂きラベルには、ラベル基材の表面に表示部が形成されてもよい。このように表示部が形成されると、引き裂きラベルが貼付される商品の名称などの情報を引き裂きラベルに表示することができる。
【００１１】
この発明の上述の目的、その他の目的、特徴および利点は、図面を参照して行う以下の発明の実施の形態の詳細な説明から一層明らかとなろう。
【００１２】
【発明の実施の形態】
図１（Ａ）はこの発明にかかる引き裂きラベルの一例を示す正面図であり、図１（Ｂ）はその引き裂きラベルの背面図である。図１に示す引き裂きラベル１０は、たとえば矩形のラベル基材１２を含む。ラベル基材１２は、たとえば紙や合成樹脂シートで形成される。
【００１３】
ラベル基材１２の幅方向における中央には、その一端から他端にわたって、引き裂き線として１本のミシン目１４が形成される。ミシン目１４は、ラベル基材１２を引き裂きやすくするためのものである。
【００１４】
ラベル基材１２の一端においてミシン目１４の一端部には、たとえば３角形状の切欠部１６が形成される。切欠部１６は、ラベル基材１２にかかる応力をミシン目１４部分に集中させるためのものである。
【００１５】
ラベル基材１２の裏面には、ラベル基材１２を接着するための接着剤層として感圧接着剤層１８が形成される。この場合、感圧接着剤層１８は、ラベル基材１２の裏面において、幅方向における中央部分を除いた両側の外側部分に形成される。そのため、この引き裂きラベル１０では、ラベル基材１２の裏面において、幅方向における中央部分が感圧接着剤層１８で接着されないように形成され、その中央部分の幅方向における両側の外側部分が感圧接着剤層１８で接着されるように形成される。
また、ラベル基材１２の裏面において接着剤層１８が形成されていない中央部分は、ミシン目１４に沿った部分であってミシン目１４に交差する方向に適当な幅の部分である。そのため、この引き裂きラベル１０では、ミシン目１４は、ラベル基材１２の裏面の中央部分の幅方向における中央に対応する部分に形成される。
【００１６】
ラベル基材１２の表面には、表示部２０が形成される。表示部２０は、たとえば、引き裂きラベル１０が貼付される商品の名称などの情報を表示するためのものである。表示部２０は、たとえば、引き裂きラベル１０が貼付される商品の名称などの情報を、ラベル基材１２の表面に顔料を含むインキで印刷することによって形成される。
【００１７】
図１に示す引き裂きラベル１０は、たとえば、図２および図３に示すように、おにぎりを包装して包装体Ｂとする包装材Ｗの表面に貼付される。この場合、引き裂きラベル１０は、ミシン目１４が包装材Ｗの切り目Ｃに重なる状態で包装材Ｗに貼付される。そのため、図４に示すように、包装材Ｗを切り目Ｃで引き裂くと、引き裂きラベル１０は、包装材Ｗとともにミシン目１４で容易に引き裂くことができる。
【００１８】
また、図１に示す引き裂きラベル１０は、たとえば、図５に示すように、ミシン目１４が包装材Ｗの切り目Ｃからずれた状態で包装材Ｗに貼付されても、包装材Ｗの切り目Ｃからミシン目１４までの部分が感圧接着剤層１８で接着されない。そのため、図６に示すように、包装材Ｗを切り目Ｃで引き裂くと、引き裂きラベル１０は、包装材Ｗの開口される部分とともにミシン目１４で容易に引き裂くことができる。
【００１９】
さらに、図１に示す引き裂きラベル１０は、ラベル基材１２の一端においてミシン目１４の一端部に切欠部１６が形成されているので、ラベル基材１２の一端側にかかる応力がミシン目１４に集中しやすく、ラベル基材１２の一端側からされに引き裂きやすくなる。
【００２０】
なお、図１に示す引き裂きラベル１０は、上述の切り目Ｃを形成した包装材Ｗに貼付されてから包装材Ｗとともに引き裂かれる場合と同様に、開口用テープを形成した包装材に貼付されても包装材とともに容易に引き裂くことができる。
【００２１】
図７（Ａ）はこの発明にかかる引き裂きラベルの他の例を示す正面図であり、図７（Ｂ）はその引き裂きラベルの背面図である。図７に示す引き裂きラベル１０は、図１に示す引き裂きラベル１０と比べて、３角形状の切欠部１６がラベル基材１２の一端および他端においてミシン目１４の一端部および他端部にそれぞれ形成されている。
そのため、図７に示す引き裂きラベル１０では、図１に引き裂きラベル１０と比べて、ラベル基材１２の一端側および他端側の両側からさらに引き裂きやすくなるという別の効果も奏する。
【００２２】
図８（Ａ）はこの発明にかかる引き裂きラベルのさらに他の例を示す正面図であり、図８（Ｂ）はその引き裂きラベルの背面図であり、図９は図８（Ｂ）の線ＩＸ−ＩＸにおける断面図である。図８に示す引き裂きラベル１０は、たとえば略３角形状のラベル基材１２を含む。ラベル基材１２の幅方向における中央には、その一端から他端にわたって、１本のミシン目１４が形成される。
ラベル基材１２の裏面全面には、感圧接着剤層１８が形成される。また、感圧接着剤層１８の表面には、その幅方向における中央部分に、たとえば酸化チタンを含む白インキなどの塗料を凸版で印刷・塗布することによって、接着阻止層２２が形成される。接着阻止層２２は、感圧接着剤層１８の接着力を阻止するためのものである。そのため、この引き裂きラベル１０では、ラベル基材１２の裏面において、幅方向における中央部分が感圧接着剤層１８で接着されないように形成され、その中央部分の幅方向における両側の外側部分が感圧接着剤層１８で接着されるように形成される。
また、ラベル基材１２の裏面全面に形成されている接着剤層１８の表面において接着阻害層２２が形成されている中央部分は、ミシン目１４に沿った部分であってミシン目１４に交差する方向に適当な幅の部分である。この引き裂きラベル１０では、ミシン目１４は、ラベル基材１２の裏面の中央部分の幅方向における中央に対応する部分に形成される。
なお、ラベル基材１２の表面には、表示部２０が形成されている。
【００２３】
図８に示す引き裂きラベル１０では、図１および図７に示す各引き裂きラベル１０と同様に、包装材の開口される部分にずれた状態で貼付されても、包装材の開口される部分とともに容易に引き裂くことができるという効果を奏する。
【００２４】
図１０（Ａ）はこの発明にかかる引き裂きラベルのさらに他の例を示す正面図であり、図１０（Ｂ）はその引き裂きラベルの背面図であり、図１１は図１０（Ｂ）の線ＸＩ−ＸＩにおける断面図である。図１０に示す引き裂きラベル１０は、たとえば横長の略長方形状のラベル基材１２を含む。ラベル基材１２の幅方向において端から約３分の１の中間には、その一端から他端にわたって、１本のミシン目１４が形成される。ラベル基材１２の一端においてミシン目１４の一端部には、３角形状の切欠部１６が形成される。
【００２５】
ラベル基材１２の裏面全面には、感圧接着剤層１８が形成される。また、感圧接着剤層１８の表面には、その幅方向における中間部分に、接着阻止層２２が形成される。そのため、この引き裂きラベル１０では、ラベル基材１２の裏面において、幅方向における中間部分が感圧接着剤層１８で接着されないように形成され、その中間部分の幅方向における両側の外側部分が感圧接着剤層１８で接着されるように形成される。
また、ラベル基材１２の裏面全面に形成されている接着剤層１８の表面において接着阻害層２２が形成されている中間部分は、ミシン目１４に沿った部分であってミシン目１４に交差する方向に適当な幅の部分である。この引き裂きラベル１０では、ミシン目１４は、ラベル基材１２の裏面の中間部分の幅方向における中央に対応する部分に形成される。
【００２６】
また、ラベル基材１２の表面には、たとえばこの引き裂きラベル１０が貼付される商品の賞味期限などの情報を表示するための表示部２０が形成される。この場合、ラベル基材１２の裏面全面に感熱発色剤層２４が形成され、感熱発色剤層２４の表示部２０の情報に対応する部分がたとえばサーマルヘッドで加熱発色されることによって、表示部２０が形成される。
【００２７】
図１０に示す引き裂きラベル１０でも、図１、図７および図８に示す各引き裂きラベル１０と同様に、包装材の開口される部分にずれた状態で貼付されても、包装材の開口される部分とともに容易に引き裂くことができるという効果を奏する。
【００２８】
さらに、図１０に示す引き裂きラベル１０では、図１に示す引き裂きラベル１０と同様に、ラベル基材１２の一端側からさらに引き裂きやすくなるという効果も奏する。
【００２９】
図１２（Ａ）はこの発明にかかる引き裂きラベルのさらに他の例を示す正面図であり、図１２（Ｂ）はその引き裂きラベルの背面図である。図１２に示す引き裂きラベル１０は、たとえば直径４ｃｍの円形のラベル基材１２を含む。ラベル基材１２には、一端から他端にわたって、たとえば７本のミシン目１４、１４、・・が、たとえば４ｍｍずつの間隔を隔てて平行に形成される。また、ラベル基材１２の裏面全面には、感圧接着剤層１８が形成される。なお、図１２に示す引き裂きラベル１０には、ラベル基材１２の表面に、表示部が形成されてもよい。
【００３０】
図１２に示す引き裂きラベル１０は、包装材の開口される部分にずれた状態で貼付されても、複数のミシン目１４、１４、・・のうちのいずれかのミシン目１４が包装材の開口される部分に接近するので、包装材の開口される部分とともにその引き裂き線１４で容易に引き裂くことができる。
【００３１】
図１３（Ａ）はこの発明にかかる引き裂きラベルのさらに他の例を示す正面図であり、図１３（Ｂ）はその引き裂きラベルの背面図である。図１３に示す引き裂きラベル１０は、図１２に示す引き裂きラベル１０と比べて、ラベル基材１２にさらに４本の別のミシン目１４’、１４’、・・が、たとえば８ｍｍずつの間隔を隔てて、７本のミシン目１４、１４、・・と直交する方向に形成される。この場合、４本の別のミシン目１４’、１４’、・・は、７本のミシン目１４、１４、・・とともに格子状になるように形成される。
【００３２】
図１３に示す引き裂きラベル１０では、図１２に示す引き裂きラベル１０と比べて、図１４に示すように、たとえばおにぎりを包装して包装体Ｂとする包装材Ｗの切り目Ｃで開口される部分に斜めにずれた状態で貼付されても、格子状のミシン目１４、１４、・・および１４’、１４’、・・のうち図１４に実線で示す階段状の部分１５が包装材Ｗの開口される部分に接近するので、包装材Ｗの開口される部分とともにその階段状の部分１５で容易に引き裂くことができるという別の効果も奏する。
【００３３】
なお、上述の各引き裂きラベル１０では、矩形、略３角形状、略長方形状または円形のラベル基材１２が用いられているが、この発明では、ラベル基材はどのような形状に形成されてもよい。
【００３４】
また、図１、図７、図８および図１０に示す各引き裂きラベル１０では、ラベル基材１２に１本のミシン目１４が形成されているが、ラベル基材１２に複数のミシン目が形成されてもよい。
【００３５】
さらに、図１２および図１３に示す各引き裂きラベル１０では、ラベル基材１２に７本のミシン目１４、１４、・・が互いに間隔を隔てて平行に形成されているが、ラベル基材１２に７本以外の複数のミシン目が形成されてもよい。複数のミシン目の間隔は、任意に変更されてもよい。また、複数のミシン目１４、１４、・・は、互いに間隔を隔てて略平行に形成されてもよい。
【００３６】
また、図１３に示す引き裂きラベル１０では、ラベル基材１２に７本のミシン目１４、１４、・・に直交する方向に４本の別のミシン目１４’、１４’、・・が形成されているが、別のミシン目１４’は、ミシン目１４と９０度以外の角度で交差する方向に形成されてもよい。たとえば、別のミシン目１４’は、右肩上がりや左肩上がりというように斜めに形成されてもよい。
さらに、別のミシン目１４’として、２種類のミシン目が形成されてもよい。たとえば、別のミシン目１４’として、ミシン目１４に直交するミシン目とミシン目１４に９０度以外の角度で交差するミシン目とが形成されてもよい。また、たとえば、別のミシン目１４’として、ミシン目１４に斜めに交差する右肩上がりのミシン目とミシン目１４に斜めに交差する左肩上がりのミシン目とが、互いに交差するように形成されてもよい。
また、別のミシン目１４’の数は、任意に変更されてもよい。別のミシン目を複数形成する場合には、それらの間隔は任意に変更されてもよい。
【００３７】
さらに、上述の各引き裂きラベル１０では、ラベル基材１２に引き裂き線としてミシン目１４（１４’）が形成されているが、この発明では、引き裂き線としてミシン目の代わりにラベル基材を切断しやすくする折り線がラベル基材に形成されてもよい。
【００３８】
また、図１、図７および図１０に示す各引き裂きラベル１０には、３角形状の切欠部１６が形成されているが、この発明では、切欠部は他の形状に形成されてもよい。なお、図１０に示す引き裂きラベル１０には、ラベル基材１２においてミシン目１４の一端部だけでなく他端部にも切欠部が形成されてもよい。
さらに、図８、図１２および図１３に示す各引き裂きラベル１０にも、そのような切欠部が形成されてもよい。
【００３９】
また、図１、図７および図８に示す各引き裂きラベル１０では、ラベル基材１２の幅方向における中央にミシン目１４が形成されるとともに、ラベル基材１２の裏面において幅方向における中央部分が接着されないように形成されているが、ミシン目１４はラベル基材１２の幅方向における中央以外の中間に形成されるとともに、ミシン目１４に対応してラベル基材１２の裏面において幅方向における中央部分以外の中間部分が接着されないように形成されてもよい。
【００４０】
また、図１０に示す引き裂きラベル１０では、ラベル基材１２の幅方向における中間にミシン目１４が形成されるとともに、ラベル基材１２の裏面において幅方向における中間部分が接着されないように形成されているが、ミシン目１４はラベル基材１２の幅方向における中央に形成されるとともに、ラベル基材１２の裏面において幅方向における中央部分が接着されないように形成されてもよい。
【００４１】
さらに、図１、図７、図８および図１０に示す各引き裂きラベル１０では、ミシン目１４が、ラベル基材１２の接着されない部分において幅方向における中央に形成されているが、ミシン目１４は、ラベル基材１２の接着されない部分において幅方向における中央以外の中間に形成されてもよい。
この場合、図１、図７および図８に示す各引き裂きラベル１０では、ラベル基材１２の裏面において幅方向における中央部分が接着されないように形成されているが、ラベル基材１２の裏面において幅方向における中央部分以外の中間部分が接着されないように形成されてもよい。また、図１０に示す引き裂きラベル１０では、ラベル基材１２の裏面において幅方向における中間部分が接着されないように形成されているが、ラベル基材１２の裏面において幅方向における中央部分が接着されないように形成されてもよい。
【００４２】
また、図１２および図１３に示す各引き裂きラベル１０では、ミシン目１４、１４、・・がラベル基材１２の幅方向における中央を含む部分に形成されているが、ミシン目１４、１４、・・は、ラベル基材１２の幅方向における中央を含む部分から幅方向にずれた部分に形成されてもよい。
【００４３】
さらに、図１２および図１３に示す各引き裂きラベル１０では、感圧接着剤層１８がラベル基材１２の裏面全面に形成されているが、感圧接着剤層１８は、ラベル基材１２の裏面において両側のミシン目１４、１４の外側の両側部分のみの形成されてもよい。
【００４４】
また、上述の各引き裂きラベル１０では、ラベル基材１２の裏面に接着剤層として感圧接着剤層１８が形成されているが、この発明では、接着剤層として感圧接着剤層の代わりに感熱接着剤層がラベル基材の裏面に形成されてもよい。
【００４５】
さらに、図１、図７、図８および図１０に示す各引き裂きラベル１０では、表示部２０がインキで印刷することによってまたは感熱発色剤層を加熱発色させることによって形成されているが、この発明では、表示部はインキで印刷することによって形成されるものと感熱発色剤層を加熱発色させることによって形成されるものとの両方が用いられてもよい。また、この発明では、表示部を形成するための他の手段としてラベル基材の表面に感圧発色剤層を形成し、その感圧発色剤層を加圧発色させることによって、表示部が形成されてもよい。
【００４６】
【発明の効果】
この発明によれば、包装材の開口される部分にずれた状態で貼付されても包装材の開口される部分とともに容易に引き裂くことができる、引き裂きラベルが得られる。
【図面の簡単な説明】
【図１】（Ａ）はこの発明にかかる引き裂きラベルの一例を示す正面図であり、（Ｂ）はその引き裂きラベルの背面図である。
【図２】図１に示す引き裂きラベルのミシン目がおにぎりを包装材で包装した包装体において包装材に形成した切り目に重なった状態で、その引き裂きラベルをその包装材に貼付した状態を示す斜視図である。
【図３】図１に示す引き裂きラベルのミシン目がおにぎりを包装材で包装した包装体において包装材に形成した切り目に重なった状態で、その引き裂きラベルをその包装材に貼付した状態を示す正面図解図である。
【図４】図３に示す状態から包装材および引き裂きラベルを切り目およびミシン目で引き裂いた状態を示す正面図解図である。
【図５】図１に示す引き裂きラベルのミシン目がおにぎりを包装材で包装した包装体において包装材に形成した切り目からずれた状態で、その引き裂きラベルをその包装材に貼付した状態を示す正面図解図である。
【図６】図５に示す状態から包装材および引き裂きラベルを切り目およびミシン目で引き裂いた状態を示す正面図解図である。
【図７】（Ａ）はこの発明にかかる引き裂きラベルの他の例を示す正面図であり、（Ｂ）はその引き裂きラベルの背面図である。
【図８】（Ａ）はこの発明にかかる引き裂きラベルのさらに他の例を示す正面図であり、（Ｂ）はその引き裂きラベルの背面図である。
【図９】図８（Ｂ）の線ＩＸ−ＩＸにおける断面図である。
【図１０】（Ａ）はこの発明にかかる引き裂きラベルのさらに他の例を示す正面図であり、（Ｂ）はその引き裂きラベルの背面図である。
【図１１】図１０（Ｂ）の線ＸＩ−ＸＩにおける断面図である。
【図１２】（Ａ）はこの発明にかかる引き裂きラベルのさらに他の例を示す正面図であり、（Ｂ）はその引き裂きラベルの背面図である。
【図１３】（Ａ）はこの発明にかかる引き裂きラベルのさらに他の例を示す正面図であり、図１３（Ｂ）はその引き裂きラベルの背面図である。
【図１４】図１３に示す引き裂きラベルのミシン目がおにぎりを包装材で包装した包装体において包装材に形成した切り目から斜めにずれた状態で、その引き裂きラベルをその包装材に貼付した状態を示す正面図解図である。
【図１５】（Ａ）は従来の引き裂きラベルの一例を示す正面図であり、（Ｂ）はその引き裂きラベルの背面図である。
【図１６】図１５に示す引き裂きラベルのミシン目がおにぎりを包装材で包装した包装体において包装材に形成した切り目に重なった状態で、その引き裂きラベルをその包装材に貼付した状態を示す正面図解図である。
【図１７】図１６に示す状態から包装材および引き裂きラベルを切り目およびミシン目で引き裂いた状態を示す正面図解図である。
【図１８】図１５に示す引き裂きラベルのミシン目がおにぎりを包装材で包装した包装体において包装材に形成した切り目からずれた状態で、その引き裂きラベルをその包装材に貼付した状態を示す正面図解図である。
【図１９】図１８に示す状態から包装材を引き裂こうとする状態を示す正面図解図である。
【符号の説明】
１０　引き裂きラベル
１２　ラベル基材
１４、１４’　ミシン目
１５　階段状の部分
１６　切欠部
１８　感圧接着剤層
２０　表示部
２２　接着阻止層
２４　感熱発色剤層
Ｂ　包装体
Ｗ　包装材
Ｃ　切り目
【図１】
2004077829.tif 000003
【図２】
2004077829.tif 000004
【図３】
2004077829.tif 000005
【図４】
2004077829.tif 000006
【図５】
2004077829.tif 000007
【図６】
2004077829.tif 000008
【図７】
2004077829.tif 000009
【図８】
2004077829.tif 000010
【図９】
2004077829.tif 000011
【図１０】
2004077829.tif 000012
【図１１】
2004077829.tif 000013
【図１２】
2004077829.tif 000014
【図１３】
2004077829.tif 000015
【図１４】
2004077829.tif 000016
【図１５】
2004077829.tif 000017
【図１６】
2004077829.tif 000018
【図１７】
2004077829.tif 000019
【図１８】
2004077829.tif 000020
【図１９】
2004077829.tif 000021